(57)【要約】【課題】把手の下端部にピンを使用しない軸機構を備えるハンドル錠の把手取付構造の提供。【解決手段】支持部材４０、押え部材４７及び取付部材５０からなる把手取付構造である。支持部材４０は、把手下端部２５の扉側に開口した凹部２６に設けられ、その凹部２６の底面に板状の中央片４１が固定されると共に、その中央片４１の上端部に下方へ開口した略コ字形状部４５を形成されている。押え部材４７は、支持部材４０の中央片４１に重ね合わされるよう設けられ、上方へ行くに従って支持部材４０の中央片４１から浮き上がった傾斜状態にその下端部を支持部材４０の中央片４１に固定される板状の部材である。取付部材５０は、扉面に取付可能とされた板材で、その上端部に扉面から突出する方向に略半円形状の係合部５６が形成され押え部材４７の上端部を支持部材４０の中央片４１側に押し込みながら係合部５６を支持部材４０の略コ字形状部４５へはめ込まれる。【選択図】      図２
2004190454.tif 000002
【特許請求の範囲】
【請求項１】
扉の戸先側から突出するようラッチボルトが設けられ、把手の押し又は引きの操作によりラッチボルトを後退させるハンドル錠に適用され、
把手上端部をラッチボルトの作動部材に接続し、その作動部材を動作させるよう把手下端部まわりに把手上端部を回動可能に、扉に把手を取り付けるための把手取付構造であって、
把手下端部の扉側に開口した凹部に設けられ、その凹部の底面に、板状の中央片が固定されると共に、その中央片の上端部に、下方へ開口した略コ字形状部を形成された支持部材と、
支持部材の中央片に重ね合わされるよう設けられ、上方へ行くに従って支持部材の中央片から浮き上がった傾斜状態に、その下端部を支持部材の中央片に固定される板状の押え部材と、
扉面に取付可能とされた板材で、その上端部に扉面から突出する方向に係合部が形成され、押え部材の上端部を支持部材の中央片側に押し込みながら、前記係合部を支持部材の略コ字形状部へはめ込まれる取付部材と
を備えることを特徴とするハンドル錠の把手取付構造。
【請求項２】
扉の戸先側から突出するようラッチボルトが設けられ、把手の押し又は引きの操作によりラッチボルトを後退させるハンドル錠に適用され、
把手上端部をラッチボルトの作動部材に接続し、その作動部材を動作させるよう把手下端部まわりに把手上端部を回動可能に、扉に把手を取り付けるための把手取付構造であって、
把手下端部の扉側に開口した凹部に設けられ、その凹部の底面に、板状の中央片が固定されると共に、その中央片の下端部に、扉側へ突出する方向に係合部が形成された支持部材と、
扉面に取付可能とされた板状の中央片の下端部に、上方へ開口した略コ字形状部を形成された取付部材と、
取付部材の中央片に重ね合わされるよう設けられ、下方へ行くに従って取付部材の中央片から浮き上がった傾斜状態に、その上端部を取付部材の中央片に固定され、下端部を取付部材の中央片側に押し込まれながら、前記係合部を取付部材の略コ字形状部へはめ込まれる板状の押え部材と
を備えることを特徴とするハンドル錠の把手取付構造。
【請求項３】
前記押え部材が取り付けられる前記中央片に突起部が形成され、その突起部に板状の押え部材が載ることで、押え部材は略コ字形状部へ向かうに従って、その中央片から浮き上がった傾斜状態とされており、
取付部材と支持部材とは、略コ字状部と前記係合部との係合と反対側の端部において、支持部材に設けられた板状の保持部材に取付部材が係合される
ことを特徴とする請求項１又は請求項２に記載のハンドル錠の把手取付構造。
【請求項４】
ラッチボルトが収容された錠ケースを挟むように、扉表裏の対応する位置にそれぞれ把手を設けるための把手取付構造であって、
一方の把手は、請求項３に記載の取付構造にて、把手下端部の凹部に、支持部材、押え部材、取付部材及び保持部材が設けられた状態で、その取付部材を一方の扉面に固定され、
他方の把手は、請求項１又は請求項２に記載の取付構造にて、他方の扉面に予め固定しておいた取付部材に、把手下端部の凹部に固定した支持部材を係合して取り付けられ、
その後、他方の把手の上端部は、他方の扉面に座を介して取り付けられ、
他方の把手上端部には、扉側に開口して凹部が形成されており、
この凹部には、一端部が把手への接続部とされる一方、他端部が扉側のラッチボルトの操作片とされる前記作動部材が保持された前記座が収容され、
この座の上端部と、扉に設けられた取付板の上端部とが、把手上端部を貫通して上下方向にねじ込まれるネジにより互いに接続されることで、他方の把手上端部は座を介して扉に取り付けられる
ことを特徴とするハンドル錠の把手取付構造。
【発明の詳細な説明】
【０００１】
【発明の属する技術分野】
本発明は、把手の押し操作や引き操作により扉を開閉するハンドル錠に関するものである。
【０００２】
【従来の技術】
従来より、プッシュ・プル式のハンドル錠が知られている。
図１５は、従来のプッシュ・プル式ハンドル錠を示し、戸先側から見た側面図である。
【０００３】
通常、ハンドル錠は、一対の把手１００，１０１が、扉３の室内側と室外側の各扉面（扉の表面又は裏面）に上下に離間して配置された上座１０２，下座１０３を介して設けられる。しかも、その際、一対の把手１００，１０１は、扉３に内蔵される錠ケース１０４を挟んだ対称位置に取り付けられる。
【０００４】
両扉面に設置される上座１０２，１０２と下座１０３，１０３は、扉面に向けてのみ開口した略角筒状である。室外側に設けられる上座１０２及び下座１０３には、座内部から開口側に向けて棒状の取付柱１１０が取り付けられる。この取付柱１１０は、扉３を厚さ方向にほぼ貫通する長さとされ、その先端部には、軸方向にネジ穴１１０ａが形成されている。
室外側の各座１０２，１０３は、その開口部を扉面に向けて取付柱１１０を扉３に差込んだ状態で配置され、各取付柱１１０，１１０の先端部には、室内側の扉面に配置される取付板１１３，１１４を介してネジ１１５がネジ込まれる。
また、室内側の各座１０２，１０３は、その左右側面からネジ１１１，１１２が取付板１１３，１１４にねじ込まれて扉面に取り付けられる。
そして、上座１０２と下座１０３の閉塞壁には把手１００，１０１の各端部が接続される。
【０００５】
上座１０２，１０２には、把手１００，１０１の押し操作又は引き操作により、ラッチ錠の錠ケース１０４から出没自在に設けられたラッチボルト１０５の後退を許容する作動機構が設けられている。
そして、把手１００，１０１の上端部に設けられた連結部１０６，１０６は、上座１０２，１０２に設けられた前記作動機構を構成する略Ｌ字形状の作動部材１０７と接続され、把手１００，１０１の押し操作又は引き操作によりラッチ錠のラッチボルト１０５が後退可能とされている。
また、把手１００，１０１の下端部に設けられた連結部１０８，１０８は、下座１０３，１０３に設けられた連結部（図示せず）にピン１０９，１０９によって連結される。把手１００，１０１の押し操作又は引き操作の際は、このピン１０９を支点として、把手１００，１０１が操作する人の手前側又は奥側に回動する。
なお、この連結部等が外部から見えないように、座１０２，１０３の先端側小径部が、把手１００，１０１の端部にわずかに嵌入されている。
【０００６】
【発明が解決しようとする課題】
しかしながら、従来の構造では、把手の下端部の連結部と座とを丸棒状のピンにより接続していた。このため、ピンの加工や、ピンを取り付けるための部材が必要となる。その結果、ピンやその取付部材の製造・加工に、時間と手間がかかり、費用もかかっていた。また、座を扉面に設置するために、室内側の上下両方の座とも取付板にネジで固定していたので、取付工程数が多くなり取付費も高くなっていた。
【０００７】
本発明は上記事情に鑑みてなされたものであり、その主たる目的は、把手の下端部にピンを使用しない軸機構を備えるハンドル錠の把手取付構造を提供することにある。また、図１５における室内側の下座１０３を取り付ける際のネジ１１２を不要とする軸機構を備えるハンドル錠の把手取付構造を提供することにある。
【０００８】
【課題を解決するための手段】
上記目的を達成するために、本発明のハンドル錠の把手取付構造は、扉の戸先側から突出するようラッチボルトが設けられ、把手の押し又は引きの操作によりラッチボルトを後退させるハンドル錠に適用され、把手上端部をラッチボルトの作動部材に接続し、その作動部材を動作させるよう把手下端部まわりに把手上端部を回動可能に、扉に把手を取り付けるための把手取付構造であって、把手下端部の扉側に開口した凹部に設けられ、その凹部の底面に、板状の中央片が固定されると共に、その中央片の上端部に、下方へ開口した略コ字形状部を形成された支持部材と、支持部材の中央片に重ね合わされるよう設けられ、上方へ行くに従って支持部材の中央片から浮き上がった傾斜状態に、その下端部を支持部材の中央片に固定される板状の押え部材と、扉面に取付可能とされた板材で、その上端部に扉面から突出する方向に係合部が形成され、押え部材の上端部を支持部材の中央片側に押し込みながら、前記係合部を支持部材の略コ字形状部へはめ込まれる取付部材とを備えることを特徴とする（第１取付構造）。
【０００９】
また、上記目的を達成するために、本発明のハンドル錠の把手取付構造は、扉の戸先側から突出するようラッチボルトが設けられ、把手の押し又は引きの操作によりラッチボルトを後退させるハンドル錠に適用され、把手上端部をラッチボルトの作動部材に接続し、その作動部材を動作させるよう把手下端部まわりに把手上端部を回動可能に、扉に把手を取り付けるための把手取付構造であって、把手下端部の扉側に開口した凹部に設けられ、その凹部の底面に、板状の中央片が固定されると共に、その中央片の下端部に、扉側へ突出する方向に係合部が形成された支持部材と、扉面に取付可能とされた板状の中央片の下端部に、上方へ開口した略コ字形状部を形成された取付部材と、取付部材の中央片に重ね合わされるよう設けられ、下方へ行くに従って取付部材の中央片から浮き上がった傾斜状態に、その上端部を取付部材の中央片に固定され、下端部を取付部材の中央片側に押し込まれながら、前記係合部を取付部材の略コ字形状部へはめ込まれる板状の押え部材とを備えることを特徴とする（第２取付構造）。
【００１０】
また、好ましくは上記構成に加えて、前記押え部材が取り付けられる前記中央片に突起部が形成され、その突起部に板状の押え部材が載ることで、押え部材は略コ字形状部へ向かうに従って、その中央片から浮き上がった傾斜状態とされており、取付部材と支持部材とは、略コ字状部と前記係合部との係合と反対側の端部において、支持部材に設けられた板状の保持部材に取付部材が係合されることを特徴とするハンドル錠の把手取付構造（第３取付構造）である。
【００１１】
また、上記目的を達成するために、本発明は、ラッチボルトが収容された錠ケースを挟むように、扉表裏の対応する位置にそれぞれ把手を設けるための把手取付構造であって、一方の把手は、第３取付構造にて、把手下端部の凹部に、支持部材、押え部材、取付部材及び保持部材が設けられた状態で、その取付部材を一方の扉面に固定され、他方の把手は、第１又は第２取付構造にて、他方の扉面に予め固定しておいた取付部材に、把手下端部の凹部に固定した支持部材を係合して取り付けられ、その後、他方の把手の上端部は、他方の扉面に座を介して取り付けられ、他方の把手上端部には、扉側に開口して凹部が形成されており、この凹部には、一端部が把手への接続部とされる一方、他端部が扉側のラッチボルトの操作片とされる前記作動部材が保持された前記座が収容され、この座の上端部と、扉に設けられた取付板の上端部とが、把手上端部を貫通して上下方向にねじ込まれるネジにより互いに接続されることで、他方の把手上端部は座を介して扉に取り付けられることを特徴とするハンドル錠の把手取付構造である。
【００１２】
【発明の実施の形態】
以下、本発明のハンドル錠の把手取付構造について、実施例に基づき更に詳細に説明する。
図１は、本発明の把手取付構造が適用されたハンドル錠を外開き扉に取り付けた状態を示す図であり、室外側から見た正面図である。
この第１実施例のハンドル錠は、図１に示すように、扉枠１の一方の縦枠に、ヒンジ２，２を介して蝶着された扉３に適用される。
【００１３】
ハンドル錠は、把手の押し又は引き操作により、錠ケース４に内蔵されたラッチボルト５を後退可能とするラッチ錠を主要部として備える。このハンドル錠は、扉３の戸先側に設けられ、その錠ケース４を挟むように扉３の両面に把手１０，２０が設けられる。
【００１４】
つまり錠ケース４は、扉３の戸先側の上下方向略中央部に埋設され、戸先側端面において上下両端部がビス６，６で扉３に固定されて設置される（図２）。これにより、ラッチボルト５は、扉３の戸先側端面から突出可能とされる。そして、その錠ケース４を挟むように、扉３の表裏面にはそれぞれ把手１０，２０が設けられる。この把手１０，２０の操作によりラッチボルト５が後退可能とされる訳であるが、その作動機構としては従来公知の各種技術が採用される。
【００１５】
図２及び図３は、図１のハンドル錠を戸先側から見た側面図であり、図２は、室内側の把手１０を取り付ける前の状態を示し、図３は、図２の状態から室内側の把手１０を取り付けた後の状態を示している。
【００１６】
本実施例のハンドル錠は、室内側の把手１０の押し操作、又は室外側の把手２０の引き操作によりラッチボルト５が後退するプッシュ・プル錠とされる。
図２，３に示すように、室内側及び室外側に取り付けられる一対の把手１０，２０は、それぞれ扉面側に開口した略コ字形状である。
一対の把手１０，２０の上端部１１，２１は、扉３の室内側と室外側の各扉面にそれぞれ設けられる座１５，１７に可動自在に取り付けられる。
【００１７】
以下、室外側の把手２０を中心に説明する。
把手２０上下の開放両端部（２１，２５）には、扉面に向けて開口する凹部２２，２６がそれぞれ形成されている。把手上端部２１の凹部２２には、前記座１７が収容可能とされる。
【００１８】
把手上端部２１の凹部２２内には、その凹部２２の底面２２ａから開口側へ突出して板状の連結部２８が取り付けられている。つまり、連結部２８は凹部２２内に設けられ、その先端部が凹部２２の開口側へ向けられた状態で、基端部が凹部２２の底面２２ａに固定されている。
【００１９】
前記座１７は、扉面に向けてのみ開口された略短筒状で、その断面は略矩形状とされている。なお、座１５，１７は、扉３の両面に、互いに対応した位置に設けられる。その際、座１５，１７は、その開口側を扉３側に向けて設けられる。
【００２０】
本実施例では、室外側に設けられる座１７の底面１７ａに、棒状の第１取付柱３０が設けられる。この第１取付柱３０は、座１７の底面１７ａから開口側へ突出して設けられる。つまり、第１取付柱３０は、座１７内部に設けられ、その先端部が座１７の開口側へ向けられた状態で、基端部が座１７の底面１７ａ中央部に固定される。なお、第１取付柱３０は、座１７の内部から延出して扉３を厚さ方向にほぼ貫通する長さとされ、その先端部には、軸方向にネジ穴３０ａが形成されている。
【００２１】
また同様に、座１７には、座１７内部からはみ出ない長さの第２取付柱（不図示）が複数本、例えば２本設けられている。第２取付柱の先端部には、軸方向にネジ穴が形成されている。さらに、座１７には、把手２０の前記連結部２８が挿入される挿通穴が形成されている。
【００２２】
把手上端部２１の凹部２２内に座１７が配置される際、把手２０の連結部２８は、座１７の挿通穴を介して座１７の内部に挿入される。そして、その連結部２８の先端部には、略Ｌ字板状の作動部材３２の垂直片３３上端部がピン３５により回動可能に連結される。
【００２３】
作動部材３２は、垂直片３３と水平片３４が連接された略Ｌ字形状に板材により形成されている。そして、両片３３，３４の連接部は、扉３の幅方向に沿う方向に座１７内部に設けられるピン等の軸３７に枢支されている。また、作動部材３２の水平片３４は、座１７の開口端側から外方に延出している。
【００２４】
座１７の内部には、板状の蓋体３９が設けられる。
蓋体３９には、前記第１取付柱３０が通される穴、及び作動部材３２の水平片３４が通される穴が形成されている。さらに、前記第２取付柱に対応した位置にも、穴が形成されている。
蓋体３９は、その各穴に第１取付柱３０及び作動部材３２が通されて座１７内部に配置され、第２取付柱にネジで固定される。
【００２５】
なお、作動部材３２の垂直片３３は、座１７の開口側すなわち蓋体３９側にバネにより付勢されている。これにより、室外側の把手２０は、把手２０に力が加わっていない平常時には、その把手上端部２１の凹部２２内に座１７が収容されて、扉面側に近接した位置に保持され、その状態では、作動部材３２の水平片３４は水平位置に保たれる（図３）。一方、室内側の座１５に設けられる作動部材３２の垂直片３３は、座１５の底面１５ａ側にバネにより付勢されている。これにより、室内側の把手１０は、把手１０に力が加わっていない平常時には、その把手上端部１１の凹部１３内から座１５の開口側が若干突出するように、扉面から離間した位置に保持され、その状態では、作動部材３２の水平片３４は水平位置に保たれる（図３）。
【００２６】
把手２０の下端部２５には、その下端部を支点として把手上端部２１のわずかな回動（プッシュ又はプル）を許容するため、その回動中心となる軸機構が内蔵されている。この第１実施例の軸機構は、把手下端部２５の凹部２６内に設けられる支持部材４０と、支持部材４０に重ね合わされる押え部材４７と、押え部材４７に重ね合わされる保持部材４９とを把手側に設ける一方、扉側には扉面に固定される取付部材５０を備える。
【００２７】
図４は、支持部材４０を示す図であり、（ａ）は正面図、（ｂ）は側面図である。
支持部材４０は、金属板のプレス成形により形成され、略矩形状の中央片４１の上端部に下方へ開口した略コ字状部を屈曲形成されてなる。つまり、中央片４１には、その上端辺から略矩形状に水平に延出して水平片４２が設けられ、この水平片４２の先端縁から垂直下方へ延出して垂直片４３が連接されている。これにより、中央片４１の上方には、断面略コ字形状部が屈曲形成される。言い換えれば、支持部材４０の中央片４１の上方には、その幅方向に沿って略コ字状溝４５が形成される。
【００２８】
この支持部材４０には、その中央片４１の上端部に左右に離間して二つの皿穴４１ａ，４１ａが厚さ方向に貫通して形成されている。また、中央片４１の中央部には左右に離間して突起部４１ｂ，４１ｂが突出形成されている。本実施例では、この突起部４１ｂ，４１ｂは、支持部材４０の背面側から押し出されて前面側が突出することで形成されている。さらに、中央片４１の下端部には、左右に離間して貫通穴４１ｃ，４１ｃが形成されている。
【００２９】
図５は、押え部材４７を示す正面図である。
押え部材４７は、金属等で形成された略矩形板状である。押え部材４７の幅寸法は、支持部材４０の幅寸法とほぼ同じとされており、その下端部には、前記支持部材４０に形成された貫通穴４１ｃ，４１ｃに対応した位置に、左右に離間して貫通穴４７ａ，４７ａが形成されている。なお、押え部材４７の上下方向の寸法は、支持部材４０に取り付けられた際に、押え部材４７の上端部が支持部材４０のコ字状溝４５内に配置される寸法とされる。
【００３０】
図６は、保持部材４９を示す正面図である。
保持部材４９は、金属等で形成された略矩形板状である。保持部材４９の幅寸法は、支持部材４０や押え部材４７の幅寸法より大きく、上下方向の寸法は、支持部材４０の中央片４１より小さく、左右方向に細長い形状とされる。また、保持部材４９には、支持部材４０や押え部材４７の貫通穴４１ｃ，４７ａに対応した位置に、左右に離間して貫通穴４９ａ，４９ａが形成されている。
【００３１】
図７は、取付部材５０を示す図であり、（ａ）は正面図、（ｂ）は左側面図、（ｃ）は平面図、（ｄ）は底面図である。
取付部材５０は、前面側に開口した略箱形状である。
例えば、略矩形板状の中央片５１の四辺にそれぞれ略矩形状の板材が連接された金属材からなり、その四片すなわち上下片５２，５４と左右片５３，５５をそれぞれ中央片５１に対し前面側に垂直に屈曲して形成される。
そして、屈曲された上片５２の先端部は、略半円形状に背面側に上方に折り返されている。この略半円形状の係合部５６は、支持部材４０のコ字状溝４５内に収容可能な大きさとされる。
【００３２】
取付部材５０の中央片５１の幅は、支持部材４０や押え部材４７よりもわずかに拡く、保持部材４９より狭い幅とされる。また、左右片５３，５５は、折り返された上片５２や下片５４よりも高い位置まで延出する。
さらに、左右片５３，５５の延出先端側の下端辺には、図７（ａ），（ｂ）に示すように、下方へ略矩形状に突出する突出部５３ａ，５５ａがそれぞれ形成されている。
【００３３】
取付部材５０の中央片５１の中央には、左右に離間して貫通穴５１ａ，５１ａが形成されている。この穴５１ａ，５１ａは、本実施例では六角穴とされる。
取付部材５０の六角穴５１ａ，５１ａには、図２に示すように、扉３を厚さ方向にほぼ貫通する棒状の取付柱５８，５８の基端部がそれぞれ接合される。本実施例では、取付柱５８の基端部は、若干縮径しており、その縮径部が取付部材５０の各六角穴５１ａ，５１ａに中央片の背面側から差込まれる。そして、中央片５１の前面側から取付柱５８の縮径部が叩かれかしめられて、取付部材５０に取付柱５８，５８が固定される。六角形の穴５１ａに対し、取付柱５８の基端部（縮径部）がかしめられ潰されることで、取付柱５８が取付部材５０に対して回ってしまうことがない。
また、取付柱５８の先端部には、軸方向にネジ穴５８ａが形成されている。
なお、室内側に設けられる取付部材５０には、室外側の取付部材５０に設けられる取付柱５８に対応した位置に穴が形成されている。
【００３４】
上記の各部材が組み立てられて室外側把手２０の下端部には軸機構が構成される。この構成について図２を参照しつつ以下に説明する。また、図８は、軸機構の分解斜視図であり、図９は、支持部材４０、押え部材４７、及び保持部材４９を重ね合わせた状態を示す斜視図である。
支持部材４０は、把手下端部２５の凹部２６内に収容されて、その背面を凹部２６の底面２６ａに当接されて設けられる。その際、支持部材４０は、その皿穴４１ａを介してさらネジ９０が把手２０にねじ込まれて、凹部２６内に固定される。
【００３５】
押え部材４７は、その上端部が、支持部材４０のコ字状溝４５内に差し込まれて取り付けられる。保持部材４９は、押え部材４７の下部に重ね合わされて取り付けられる。その際、保持部材４９、押え部材４７、支持部材４０に形成された各貫通穴４９ａ，４７ａ，４１ｃを介して、把手２０の凹部底面２６ａに設けられたネジ穴２６ｂにネジ９１がねじ込まれて、各部材が固定される。
【００３６】
ネジ止めされた状態では、押え部材４７は、支持部材４０の突起部４１ｂに押されている。つまり、押え部材４７は、上方に行くに従って前面側すなわち把手２０の凹部２６の開口側（扉側）に傾斜して取り付けられる。
【００３７】
一方、取付部材５０は、その開口部を把手下端部２５の凹部２６に向けて配置される。そして、取付部材５０は、その左右片５３，５５間に押え部材４７及び支持部材４０を配置すると共に、その係合部５６は、凹部２６内に固定された支持部材４０のコ字状溝４５内に差し込まれる。
【００３８】
これにより、押え部材４７の上端部は、取付部材５０の係合部５６の円弧状部分に当接する。その結果、取付部材５０の係合部５６は、支持部材４０のコ字状溝４５と押え部材４７とに挟み込まれた状態で保持される。
また、凹部２６の底面２６ａには、取付部材５０の左右片５３，５５の延出先端部に対応して、溝２６ｃ，２６ｃが左右に離間して上下方向に形成されている。取付部材５０は、その左右片５３，５５の延出先端部を溝２６ｃ，２６ｃにわずかにさしこんだ状態で設けられる。
保持部材４９は、取付部材５０の突出部５３ａ，５５ａより扉３側に配置され、その上端部が、取付部材５０の下片５４と突出部５３ａ，５５ａに挟まれた状態で設けられる。
【００３９】
このように構成された室外側に取り付けられる把手２０は、上端部２１に設けられた作動部材３２の水平片３４が錠ケース４に差し込まれると共に、第１取付柱３０が扉３に差込まれる。そして、第１取付柱３０の先端部に、室内側の扉面から後述する取付板８０を介してネジ９２がねじ込まれて、室外側の座１７が扉面に固定され、ひいては、把手２０の上端部２１が扉３に取り付けられる。
【００４０】
また、把手下端部２５に設けられた取付部材５０に接続された取付柱５８が、扉３に差込まれる。そして、取付柱５８の先端部に室内側から扉面に設けられる取付部材５０を介してネジ９３がねじ込まれ、室外側の取付部材５０が扉面に固定され、ひいては、把手２０の下端部２５が扉３に取り付けられる。このようにして、室外側の扉面に把手２０が設けられる。
【００４１】
次に室内側の把手１０とその取付けについて説明する。基本的には室外側の把手２０の場合と同様であるので、以下、室外側把手２０と異なる部分を中心に説明する。また、室外側把手２０と同じ部分には、同一の符号を付して説明する。
【００４２】
室内側に設けられる把手１０の上端部１１に収容される座１５には、その左右側壁に同軸上に貫通穴１５ｂ，１５ｂが形成されている。室内側把手１０の上端部１１の凹部１３周側壁には、座１５のその貫通穴１５ｂ，１５ｂに対応した位置に若干大径な穴１１ａ，１１ａが形成されている。なお、室内側把手１０の上端部１１には、室外側把手２０の上端部２１に設けられた第１取付柱３０は取り付けない。
【００４３】
把手下端部１２の凹部１６底面１６ａには、支持部材４０がさらネジ９０により固定される。そして、支持部材４０に押え部材４７が重ね合わされて各貫通穴４１ｃ，４７ａを介して凹部１６内にネジ９１により固定される。なお、室内側の把手下端部１２には、室外側の把手下端部２５に設けられた保持部材４９は取り付けない。
【００４４】
そして、まず把手下端部１２を、凹部１６内に設けられた支持部材４０のコ字状溝４５に、扉面に設けられた取付部材５０の係合部５６を差込むように上から下へ押し込んで取り付けられる。室外側把手２０の下端部２５と同様、係合部５６は、押え部材４７によりコ字状溝４５に押さえつけられる。なお、取付部材５０は、扉３の両面の対称位置に、各中央片５１，５１の背面を当接して配置される。そして、上述したように室外側の取付部材５０に設けられた取付柱５８に、室内側の取付部材５０の穴からネジ９３をねじ込むことで、扉３の両面に各取付部材５０，５０が固定される。
また、凹部１６の底面１６ａには、取付部材５０の左右片５３，５５の延出先端部に対応して、溝１６ｃ，１６ｃが左右に離間して上下方向に形成されている。取付部材５０は、その左右片５３，５５の延出先端部を溝１６ｃ，１６ｃにわずかに差込んだ状態で設けられる。
【００４５】
この状態で室内側把手１０は、その上端部１１の作動部材３２の水平片３４が錠ケース４に差込まれると共に、座１５内に前記取付板８０が差込まれる。
取付板８０は、略矩形板状の中央片８１の左右辺にそれぞれ略矩形状の板材が連接された金属材からなり、その二片すなわち左右片８２，８３を中央片８１に対して前面側に垂直に屈曲して断面略コ字状に形成されている。そして、上述のように取付板８０の中央片８１が室内側扉面に当接されて、中央片８１から第１取付柱３０にネジ９２がねじ込まれて室内側扉面に固定される。
また、取付板８０の左右片８２，８３には、把手上端部左右の穴１１ａ，１１ａ及び座１５の穴１５ｂ，１５ｂに対応した位置にネジ穴８２ａ，８３ａが形成されている。
【００４６】
そして、把手１０の上端部左右の穴１１ａ，１１ａを介して、左右方向からネジ９４がねじ込まれ、座１５と取付板８０がネジ９４によりネジ止めされる。これにより、座１５と取付板８０が固定され、ひいては、把手１０の上端部１１が扉３に取り付けられる。なお、把手１０の穴１１ａは、ネジ９４の頭より大径とされ、ネジ９４は、把手凹部１３の周側壁を貫通し、ネジ９４の頭は、座１５の外周面と把手の凹部１３の内周面との間に配置される。よって、把手１０は、その上端部１１が下端部１２を支点として回動する際、ネジ９４によりその回動を阻害されることはない。
【００４７】
室内側及び室外側に設けられた把手１０，２０は、それぞれ下端部の軸機構を介して押し又は引きの操作が可能とされる。これにより、ラッチボルト５の後退が可能となり、扉３の開閉が可能となる。
【００４８】
例えば、室外側の把手２０を図３において矢印Ａ方向に引いた場合、把手２０の上端部２１は、下端部２５の軸機構を介して手前側に傾く。つまり、把手２０は、取付部材５０の係合部５６を支点として図３において時計まわりに回動する。
把手２０の上端部２１が傾くことで、作動部材３２の垂直片３３が把手の連結部２８に引っ張られる。そして、作動部材３２は、図３において軸３７まわりに時計回りに回動し、水平片３４が上方へ傾き、その傾きによりラッチボルト５の後退が可能となる。
また、把手２０から手を離せば、バネの付勢力により、把手２０は元の位置に戻る。
【００４９】
同様に、室内側の把手１０を図３において矢印Ｂ方向に押した場合、把手の上端部１１は、下端部１２の軸機構を介して奥側に傾く。つまり、把手１０は、取付部材５０の係合部５６を支点として、図３において時計まわりに回動する。把手１０の上端部１１が傾くことで、作動部材３２の垂直片３３が把手１０の連結部２８に押される。そして、作動部材３２は、軸３７を介してその水平片３４が下方に傾き、ラッチ錠のラッチボルト５が後退可能となる。
また、把手１０から手を離せば、バネの付勢力により、把手１０は元の位置に戻る。
【００５０】
各把手下端部１２，２５において、押え部材４７は、支持部材４０の突起部４１ｂにより取付部材５０の係合部５６を押える方向に常に付勢されており、また、支持部材４０及び押え部材４７は、取付部材５０の左右片５３，５５に挟まれている。よって、把手１０，２０に何も力がかかっていない通常時はもちろんのこと、把手１０，２０の操作時も把手１０，２０がぐらついたりガタ付いたりすることがない。さらに、室外側把手２０の軸機構には、保持部材４９が、取付部材５０の突出部５３ａ，５５ａ及び下片５４に挟まれているのでガタ付くことがない。
加えて、扉３の両面に設けられる取付部材５０，５０の左右片５３，５５の延出先端部が凹部２６，１６の溝２６ｃ，１６ｃに差し込まれているのでガタ付きを抑えることができる。
【００５１】
本実施例では、上述したように把手がぐら付いたりガタ付いたりしない。しかも、把手の下端部の軸機構を取り付ける際に、ピンを使用しておらず、板材からなる部材を組み合わせて構成しているが、把手の回動を可能としている。
そもそも把手は、たとえば、その上下方向の長さが約４０ｃｍに対して、上端部が約５ｍｍ程度前後するだけであるから、ピンを使用せずに、本実施例のように板材を組み合わせて軸機構としても不都合はない。
【００５２】
また、把手下端部の取付の際には、室内側把手１０の上端部１１に差し込まれるような座１５と取付板８０とを固定するネジ９４を使用せず、はめ込むだけで扉３に把手を取り付けることが可能である。よって、従来に比べ、取付工程数が少なく、取付費用も安くできる。さらに、板材からなる各部材は、プレス加工によりそのほとんどが加工できるため、従来のピンを使用した軸機構に比べ、コストを低減することが可能となる。
【００５３】
次に、図１０に基づいて軸機構の第２実施例について説明する。
なお、各把手１０，２０の上端部１１，２１の構造は、前記第１実施例と同じ構造である。
以下、前記第１実施例と異なる部分を中心に説明し、また室外側の把手２０を中心に説明する。さらに、前記第１実施例と同じ部材には、同一の符号を付して説明する。
図１０は、ハンドル錠を戸先側から見た側面図であり、室内側の把手１０を取り付ける前の状態を示す図である。
【００５４】
本第２実施例の室外側把手２０の下端部２５に構成される軸機構は、把手２０の下端部２５に形成された凹部２６内に設けられる支持部材６０と、支持部材６０にネジ止めされる保持部材６４とを把手側に設ける一方、扉側には扉面に固定される取付部材６５と、取付部材６５にネジ止めされる押え部材７２とを備える。
【００５５】
図１１は、支持部材６０を示す側面図である。
支持部材６０は、金属板等により形成された略矩形状の中央片６１を備える。そして、中央片６１の下端辺には前方に延出して水平片６２が設けられる。さらに、その水平片６２の先端部は、略半円形状に背面側に下方に折り返されており、この略半円形状部は、係合部６３とされる。
【００５６】
支持部材６０の中央片６１の上端部には、左右に離間して穴６１ａ，６１ａが厚さ方向に沿って形成されている。また、中央片６１の下端部にも、左右に離間して穴６１ｂ，６１ｂが厚さ方向に沿って形成されている。
【００５７】
図１２は、保持部材６４を示す図であり、（ａ）は正面図であり、（ｂ）は右側面図であり、（ｃ）は、平面図である。
保持部材６４は、略矩形板状の中央片７４と、その左右辺の上下方向中央部から延出する左右片７５，７６を備える。なお、左右片７５，７６は、その基端部が屈曲されることで、中央片７４より若干前面側に配置されており、左右片７５，７６の上下方向の寸法は、中央片の上下方向の寸法より小さくされている。
また、中央片７４には、支持部材６０の穴６１ａ，６１ａに対応した位置に、左右に離間して穴７４ａ，７４ａが形成されている。
【００５８】
図１３は、取付部材６５を示す側面図である。
取付部材６５は、略矩形状の中央片６６の下辺及び左右辺にそれぞれ略矩形状の板材が連結された金属材からなり、その左右片６７，６９を中央片６６に対して垂直に屈曲して形成される。左右片６７，６９の上端辺の延出先端側には、上方へ略矩形状に延出した後、さらに背面側に直角に延出して略Ｌ字形状の突出部６７ａ，６９ａが一体形成されている。なお、中央片６６の幅寸法は、支持部材６０の幅寸法より若干拡い。
【００５９】
下片６８は、中央片６６に対して直角に前方に屈曲され、さらに上方に折り返されて断面略コ字形状に屈曲形成されている。これにより、取付部材６５の下端部には、その幅方向に沿って略コ字状溝７０が形成される。なお、このコ字状溝７０の幅は、前記支持部材６０の係合部６３が差込可能な大きさとされる。
また、前記左右片６７，６９は、下端部のコ字状溝７０よりも高い位置まで延出している。さらに、本実施例では、折り返された下片６８の先端部は、左右片６７，６９間に配置される。
【００６０】
取付部材６５の中央片６６の上端部には、左右に離間して穴６６ａ，６６ａが厚さ方向に沿って形成されている。また、中央片６６の中央部には、左右に離間して二つの突起部６６ｂ，６６ｂが形成されている。この突起部６６ｂ，６６ｂは、中央片６６の背面側から押されて前面側が突出することで形成される。さらに、取付部材６５には、左右に離間して貫通穴６６ｃ，６６ｃが形成されている。この穴は、本実施例では六角穴とされる。この穴６６ｃ，６６ｃの位置は、任意に決めることができるが、本実施例では、突起部６６ｂと同一直線上に配置される。
【００６１】
室外側に設けられる取付部材６５のこの六角穴６６ｃ，６６ｃには、扉３を厚さ方向にほぼ貫通する棒状の取付柱５８，５８の基端部が接合される。
取付柱５８の基端部は、若干縮径しており、その縮径部が取付部材６５の六角穴６６ｃに差し込まれ、取付部材６５の前面側から叩かれかしめられる。これにより、取付部材６５に取付柱５８が固定される。また、取付部材６５の穴６６ｃが六角穴となっていることで、取付柱５８の基端部（縮径部）がかしめられ潰れることで、取付柱５８が取付部材６５に対して回ってしまうことがない。また、取付柱５８の先端部には、軸方向にネジ穴５８ａが形成されている。
なお、室内側に設けられる取付部材６５には、室外側の取付部材６５に設けられる取付柱５８に対応した位置に穴が形成されている。
【００６２】
押え部材７２は、金属等で形成された略矩形板状である。その上端部には、前記取付部材６５に形成された穴６６ａ，６６ａに対応した位置に、左右に離間して穴７２ａ，７２ａが形成されている。また、押え部材７２は、取付部材６５の中央片６６とほぼ同じ幅寸法とされる。
【００６３】
上記の各部材が組み立てられて、室外側把手２０の下端部２５には軸機構が構成される。この構成について以下に説明する。
支持部材６０は、把手下端部２５の凹部２６内に収容されて、その背面を凹部２６の底面２６ａに当接して設けられる。そして、支持部材６０は、中央片６１に形成された前記各穴（４ヶ所）６１ａ，６１ｂからネジ９５が把手２０にねじ込まれて、凹部２６内に固定される。なお、穴６１ａからネジ９５がねじ込まれる際には、保持部材６４を介してねじ込まれる。
【００６４】
押え部材７２は、取付部材６５の左右片６７，６９間に配置され、前記穴７２ａ，７２ａを介して取付部材６５の中央片６６の穴６６ａ，６６ａにネジ９６，９６がねじ込まれて、取付部材６５の中央片６６にネジ止めされる。この際、押え部材７２は、取付部材６５の突起部６６ｂにより背面側から付勢されることで、下方に行くに従って前面側へ傾斜して取り付けられる。なお、押え部材７２の下端部は、取付部材６５のコ字状溝７０に差込まれている。
【００６５】
取付部材６５は、扉３の両面に、その対称位置に中央片６６の背面を当接して設けられる。そして、室外側の取付部材６５に設けられた取付柱５８に、室内側の取付部材６５の穴からネジ９３をねじ込むことで、扉３の両面に取付部材６５，６５が固定される。
【００６６】
支持部材６０は、取付部材６５の左右片６７，６９間に配置されると共に、その係合部６３が取付部材６５のコ字状溝７０に差込まれる。
保持部材６４は、その穴７４ａから前記ネジ９５が支持部材６０の穴６１ａに差込まれ支持部材６０ひいては凹部２６内に固定される。また、保持部材６４は、その左右片７５，７６が取付部材６５の左右片６７，６９の上端辺と突出部６７ａ，６９ａの間に差込まれ挟まれた状態で設けられる。
また、取付部材６５は、その左右片６７，６９の延出先端部を、凹部２６の溝２６ｃ，２６ｃにわずかに差込んだ状態で設けられる。
【００６７】
把手２０の上端部２１は、前記第１実施例と同様にして取り付けられる。
また、把手下端部２５に設けられた取付部材６５に接続された取付柱５８が、扉３に差込まれる。そして、取付柱５８の先端部に室内側から扉面に設けられる取付部材６５を介してネジ９３がねじ込まれ、室外側の取付部材６５が扉面に固定され、ひいては把手２０の下端部２５が扉３に取り付けられる。このようにして、室外側の扉面に把手２０が設けられる。
【００６８】
室内側の把手１０の下端部１２にも室外側把手２０の下端部２５の軸機構と同様に軸機構が構成される。なお、室内側の把手下端部１２には、室外側の把手下端部２５に設けられた保持部材６４は取り付けない。
そして、室内側の把手１０は、下端部１２の凹部１６に設けられた支持部材６０の係合部６３を取付部材６５のコ字状溝７０に差込むように、上から下へ押し込んで扉面に取り付けられる。また、室内側の取付部材６５は、その左右片６７，６９の延出先端部を凹部１６の溝１６ｃ，１６ｃにわずかに差込んだ状態で設けられる。
室内側把手１０の上端部１１は、前記第１実施例と同様に扉面に取り付けられる。
【００６９】
室内側及び室外側に設けられた把手１０，２０は、前記第１実施例と同様、それぞれ下端部１２，２５の軸機構を介して押し又は引きの操作が可能となる。
つまり、各把手１０，２０は、支持部材６０の係合部６３まわりに回動する。
【００７０】
支持部材６０の係合部６３は、押え部材７２により押さえつけられており、また、支持部材６０は、取付部材６５の左右片６７，６９間に挟まれていることで、各把手１０，２０がぐらついたりガタ付いたりすることがない。さらに、室外側把手２０の軸機構において、保持部材６４の左右片７５，７６が取付部材６０の突出部６７ａ，６９ａに係合していることでガタ付くことがない。
【００７１】
また、この実施例の軸機構によれば、前記実施例より回転軸の位置がさらに下方となるので、把手の押し又は引きの操作を、より軽い力で行うことができる。
【００７２】
ところで、上記各実施例では、室内側の把手１０の上端部１１を扉３に取り付ける際、座１５と取付板８０とを左右方向からネジ９４，９４によりネジ止めしているが、上方からのネジ止めしても構わない。例えば、第２実施例において適用した場合について説明する。
なお、この変形例では、室外側把手２０の上下端部２１，２５及び室内側把手１０の下端部１２の構造は、第２実施例と同様である。また、室内側把手１０の上端部１１の構造も基本的に第２実施例と同様である。
【００７３】
図１４は、第２実施例の変形例を示す図である。
本変形例の取付板８５は、略矩形板状の中央片８６の上辺に略矩形状の板材８７が連結された金属材からなり、その上片８７を中央片８６に対して垂直に屈曲して断面略Ｌ字状に形成されている。そして、取付板８５は、その中央片８６の背面が室内側扉面に当接されて、中央片８６から室外側把手２０の第１取付柱３０にネジ９２がねじ込まれて室内側扉面に固定される。
また、取付板８５の上片８７の中央には、ネジ穴８７ａが形成されており、室外側に取り付けられる座１５にも、その上端面に前記ネジ穴８７ａに対応した位置に穴１５ｃが形成されている。さらに、把手上端部１１にも取付板８５の穴８７ａ及び座１５の穴１５ｃに対応した位置に穴１１ｂが形成されている。この穴１１ｂは、後述するネジ９７の頭が通る大きさとされる。
【００７４】
この取付板８５を使用することで、扉３の把手１０の左右にモール等の装飾具が、扉面に突出してある場合でも、把手１０の上部から上下方向にネジ９７を差込むことが可能であるので、容易に取り付けることが可能である。また、上方から１本のネジ９７で固定することが可能であるので、取付工程数も減らすことができる。
【００７５】
なお、本発明のハンドル錠の把手取付構造は、上記実施例の構成に限らず、適宜変更可能である。例えば、押え部材として板ばねを使用しても構わない。また、上記実施例では、室外側の把手は、引き操作、室内側の把手は、押し操作としたが、その逆であってもよいし、押し又は引きの操作の両方可能な把手を備えるハンドル錠であっても構わない。また、係合部の形状は、半円形状の他、円形等にしても構わない。
【００７６】
【発明の効果】
以上詳述したように、本発明のハンドル錠の把手取付構造によれば、把手の下端部にピンを使用せずに把手を扉に取り付けることが可能となる。また、把手の下端部を扉に固定する際に、従来のように、座と取付板とを固定するネジを使用する必要がない。さらに、把手のガタ付きを無くすことが可能となる。
【図面の簡単な説明】
【図１】本発明の把手取付構造が適用されたハンドル錠を外開き扉に取り付けた状態を示す図であり、室外側から見た正面図である。
【図２】ハンドル錠を戸先側から見た側面図であり、室内側の把手を取り付ける前の状態を示している。
【図３】ハンドル錠を戸先側から見た側面図であり、図２の状態から室内側の把手を取り付けた後の状態を示している。
【図４】支持部材を示す図であり、（ａ）は正面図、（ｂ）は側面図である。
【図５】押え部材を示す正面図である。
【図６】保持部材を示す正面図である。
【図７】取付部材を示す図であり、（ａ）は正面図、（ｂ）は左側面図、（ｃ）は平面図、（ｄ）は底面図である。
【図８】軸機構の分解斜視図である。
【図９】支持部材、押え部材及び保持部材を重ね合わせた状態を示す斜視図である。
【図１０】ハンドル錠を戸先側から見た側面図であり、室内側の把手を取り付ける前の状態を示す図である。
【図１１】支持部材を示す側面図である。
【図１２】保持部材を示す図であり、（ａ）は正面図であり、（ｂ）は右側面図であり、（ｃ）は平面図である。
【図１３】取付部材を示す側面図である。
【図１４】図１０の第２実施例の変形例を示す図である。
【図１５】従来のハンドル錠の取付構造を示す側面図である。
【符号の説明】
１  扉枠
２  ヒンジ
３  扉
４  錠ケース
５  ラッチボルト
６  ビス
１０  （室内側）把手
１５  （室内側）座
１７  （室外側）座
１７ａ  底面
２０  （室外側）把手
２１  把手の上端部
２２  凹部
２２ａ  底面
２５  把手の下端部
２６  凹部
２８  連結部
３０  第１取付柱
３２  作動部材
３３  垂直片
３４  水平片
３７  ピン
３９  蓋体
４０  支持部材
４１  中央片
４１ａ  皿穴
４１ｂ  突起部
４１ｃ  貫通穴
４２  水平片
４３  垂直片
４５  コ字状溝
４７  押え部材
４７ａ  貫通穴
４９  保持部材
４９ａ  貫通穴
５０  取付部材
５１  中央片
５１ａ  六角穴
５２  上片
５３  左片
５３ａ  突出部
５４  下片
５５  右片
５５ａ  突出部
５６  係合部
５８  取付柱
５８ａ  ネジ穴
【図１】
2004190454.tif 000003
【図２】
2004190454.tif 000004
【図３】
2004190454.tif 000005
【図４】
2004190454.tif 000006
【図５】
2004190454.tif 000007
【図６】
2004190454.tif 000008
【図７】
2004190454.tif 000009
【図８】
2004190454.tif 000010
【図９】
2004190454.tif 000011
【図１０】
2004190454.tif 000012
【図１１】
2004190454.tif 000013
【図１２】
2004190454.tif 000014
【図１３】
2004190454.tif 000015
【図１４】
2004190454.tif 000016
【図１５】
2004190454.tif 000017